(57)【要約】【課題】本発明は、省電力モードへ移行する場合にも設定情報の利用性を向上させる。【解決手段】ＭＦＰ１は、主要各部への電力供給の停止と削減のうち少なくともいずれかを実施する省電力モードを備えており、操作部２０の操作パネル２７に入力画面を表示して、設定情報が入力される。ＣＰＵ１１は、省電力移行条件が満たされて、省電力モードへ移行する際に、検知部１８が操作者を検知しており、省電力モード中においても、該操作者を検知している限り、入力された設定情報をハードディスク１４に保管する。ＣＰＵ１１は、省電力モードから通常電力モードへ復帰すると、ハードディスク１４の設定情報を操作パネル２７の入力画面に反映させる。ただし、ＣＰＵ１１は、検知部１８が操作者を検知しなくなると、ハードディスク１４の設定情報をデフォルトの情報に書き換える。【選択図】図１
2017039317.tif 000002
【特許請求の範囲】
【請求項１】
主要各部への電力供給の停止と削減のうち少なくともいずれかを実施する省電力モードを備えたデータ処理装置であって、
前記データ処理装置の動作に関する設定情報の入力画面を表示出力する表示手段と、
前記入力画面にしたがって前記設定情報が設定入力される設定情報入力手段と、
前記省電力モードにおいても記憶内容を保管する情報記憶手段と、
電源電力モードを、所定の省電力移行条件が満たされると、前記省電力モードへ移行させ、所定の復帰条件が満たされると、該省電力モードから通常動作可能な通常電力モードへ復帰させるモード制御手段と、
前記モード制御手段が前記電源電力モードを前記省電力モードへ移行させる際に、前記設定情報入力手段から入力されている前記設定情報を前記情報記憶手段へ保管させ、該省電力モードから前記通常電力モードへ復帰すると、該情報記憶手段の該設定情報を前記表示手段の前記入力画面へ反映させる設定情報管理手段と、
を備えていることを特徴とするデータ処理装置。
【請求項２】
前記データ処理装置は、
操作者が前記データ処理装置の所定範囲内にいるか否かを検知する操作者検知手段を、  さらに備え、
前記設定情報管理手段は、
前記省電力モードへの移行時又は前記省電力モード中において、前記操作者検知手段が前記操作者を不検出であると、前記情報記憶手段へ所定の初期設定情報を保管させ、該省電力モードへの移行時及び該省電力モード中において、該操作者検知手段が該操作者を検出中であると、前記設定情報入力手段から入力された前記設定情報を該情報記憶手段へ保管させることを特徴とする請求項１記載のデータ処理装置。
【請求項３】
前記データ処理装置は、
各種動作処理を行う本体部と操作表示部が所定の通信手段で接続されており、
前記本体部は、
前記情報記憶手段、前記モード制御手段及び前記設定情報管理手段を備え、
前記操作表示部は、
前記表示手段と前記設定情報入力手段とを備えていることを特徴とする請求項１又は請求項２記載のデータ処理装置。
【請求項４】
前記データ処理装置は、前記設定情報入力手段から設定入力された前記設定情報に基づいて、データ処理として画像処理を行うことを特徴とする請求項１から請求項３のいずれかに記載のデータ処理装置。
【請求項５】
データ処理装置の動作に関する設定情報の入力画面を表示出力する表示手段と、
前記入力画面にしたがって前記設定情報の設定を受け付ける設定情報入力手段と、
操作者が前記データ処理装置の所定範囲内にいるか否かを検知する操作者検知手段と、
所定の画面が表示されてから閾値時間、前記設定情報入力手段が操作を受け付けなかった場合、前記設定情報を破棄する操作リセット手段と、を有し、
前記閾値時間が経過した際に、前記操作者検知手段が前記操作者を検出している場合、前記操作リセット手段は前記設定情報を破棄せず、
前記閾値時間が経過した際、前記操作者検知手段が前記操作者を検出していない場合、前記操作リセット手段は前記設定情報を破棄するデータ処理装置。
【請求項６】
前記閾値時間が経過した際に、前記操作者検知手段が前記操作者を検出している場合、前記操作リセット手段は、前記設定情報を破棄するか否かを受け付ける画面を操作表示部に表示させ、
前記設定情報入力手段が前記画面から前記設定情報を破棄しないという操作を受け付けた場合、前記操作リセット手段は前記設定情報を破棄せず、
前記設定情報入力手段が前記画面から前記設定情報を破棄するという操作を受け付けた場合、前記操作者検知手段が前記操作者を検出していても、前記操作リセット手段は前記設定情報を破棄する請求項５に記載のデータ処理装置。
【請求項７】
前記操作リセット手段は、
任意のアプリの画面を表示中に閾値時間、前記設定情報入力手段が操作を受け付けなかった場合、前記任意のアプリの画面に替えて特定のアプリ画面を表示することで前記設定情報を破棄するか、
予約中のジョブ一覧画面の表示中に閾値時間、前記設定情報入力手段が操作を受け付けなかった場合、ジョブ一覧画面を閉じることで前記設定情報を破棄するか、
ユーザがログイン後、閾値時間、前記設定情報入力手段が操作を受け付けなかった場合、ユーザをログアウトさせることで前記設定情報を破棄するか、
又は、
任意のアプリの画面を表示中に閾値時間、操作がなかった場合、表示中の任意のアプリのトップ画面を表示させることで前記設定情報を破棄する請求項５又は６に記載のデータ処理装置。
【請求項８】
主要各部への電力供給の停止と削減のうち少なくともいずれかを実施する省電力モードを備えたデータ処理装置の実行する設定情報管理方法であって、
前記データ処理装置の動作に関する設定情報の入力画面を表示手段へ表示出力する表示処理ステップと、
前記入力画面にしたがって前記設定情報が設定入力される設定情報入力処理ステップと、  
前記省電力モードにおいても記憶内容を情報記憶手段へ保管する情報記憶処理ステップと、
電源電力モードを、所定の省電力移行条件が満たされると、前記省電力モードへ移行させ、所定の復帰条件が満たされると、該省電力モードから通常動作可能な通常電力モードへ復帰させるモード制御処理ステップと、
前記モード制御処理ステップで前記電源電力モードを前記省電力モードへ移行させる際に、前記設定情報入力処理ステップで入力されている前記設定情報を前記情報記憶処理ステップで前記情報記憶手段へ保管させ、該省電力モードから前記通常電力モードへ復帰すると、該情報記憶手段の該設定情報を前記表示手段の前記入力画面へ反映させる設定情報管理処理ステップと、
を有することを特徴とする設定情報管理方法。
【請求項９】
主要各部への電力供給の停止と削減のうち少なくともいずれかを実施する省電力モードを備えたデータ処理装置の搭載するプログラムであって、
制御プロセッサに、
前記データ処理装置の動作に関する設定情報の入力画面を表示手段へ表示出力する表示処理と、
前記入力画面にしたがって前記設定情報が設定入力される設定情報入力処理と、
前記省電力モードにおいても記憶内容を情報記憶手段へ保管する情報記憶処理と、
電源電力モードを、所定の省電力移行条件が満たされると、前記省電力モードへ移行させ、所定の復帰条件が満たされると、該省電力モードから通常動作可能な通常電力モードへ復帰させるモード制御処理と、
前記モード制御処理で前記電源電力モードを前記省電力モードへ移行させる際に、前記設定情報入力処理で入力されている前記設定情報を前記情報記憶処理で前記情報記憶手段へ保管させ、該省電力モードから前記通常電力モードへ復帰すると、該情報記憶手段の該設定情報を前記表示手段の前記入力画面へ反映させる設定情報管理処理と、
を実行させることを特徴とするプログラム。
【発明の詳細な説明】
【技術分野】
【０００１】
本発明は、データ処理装置、設定情報管理方法及びプログラムに関し、詳細には、設定情報に基づいてデータ処理を行うデータ処理装置、設定情報管理方法及びプログラムに関する。
【背景技術】
【０００２】
設定入力された設定情報に基づいて、処理対象のデータに対してデータ処理を施すデータ処理装置、例えば、複写装置、複合装置、コンピュータ等においては、操作表示部等のＵＩ（User Interface）から設定情報が入力されて設定される。
【０００３】
一方、データ処理装置は、近年、省電力を図るために、省電力モードを備えている。データ処理装置は、例えば、一定の待ち時間の間入力操作が行われない状態が発生すると、各部への電力供給を遮断又は削減する省電力モードへ移行する。
【０００４】
このような省電力モードを備えた従来のデータ処理装置は、ユーザが、設定情報を入力している途中で、一定時間入力操作を中断する等の状態が発生すると、入力途中の設定情報を破棄して、省電力モードへ移行するようになっていた。
【０００５】
したがって、ユーザが、設定を継続しようとして、データ処理装置を省電力モードから復帰させると、途中まで入力した設定情報が消去されていて、設定情報を再度最初から入力する必要があり、利用性が悪いという問題があった。
【０００６】
そして、従来、画像処理装置であって、人体を検知する検知手段と、ユーザ認証のための認証手段と、前記認証手段によるユーザ認証によって該認証されたユーザによるログオン状態に移行して操作部からの操作を受け付ける制御手段と、を有し、前記制御手段は、前記ログオン状態において、前記検知手段の検知状態が検知から非検知に変化した場合に、前記画像処理装置の状態を保持したまま、前記認証手段による認証を要求しつつ該認証以外の操作を禁止し、該認証の要求に応じて現在ログイン中のユーザが認証された場合に、前記保持した状態に前記画像処理装置を復帰させる画像処理装置が提案されている（特許文献１参照）。
【０００７】
すなわち、この従来技術は、ログオン状態において、ユーザが非検出状態になると、画像処理装置の状態を保持して、ユーザ認証のみが可能な状態とし、ユーザ認証が正常に行われると、保持した状態に復帰させている。
【発明の概要】
【発明が解決しようとする課題】
【０００８】
しかしながら、上記公報記載の従来技術にあっては、省電力モードへ移行した際における設定情報の保存については考慮されておらず、省電力モードからの復帰時における設定情報の利用性を向上させる上で、改良の必要があった。
【０００９】
そこで、本発明は、省電力モードへ移行した場合にも設定情報の利用性を向上させることを目的としている。
【課題を解決するための手段】
【００１０】
上記目的を達成するために、請求項１記載のデータ処理装置は、主要各部への電力供給の停止と削減のうち少なくともいずれかを実施する省電力モードを備えたデータ処理装置であって、前記データ処理装置の動作に関する設定情報の入力画面を表示出力する表示手段と、前記入力画面にしたがって前記設定情報が設定入力される設定情報入力手段と、前記省電力モードにおいても記憶内容を保管する情報記憶手段と、電源電力モードを、所定の省電力移行条件が満たされると、前記省電力モードへ移行させ、所定の復帰条件が満たされると、該省電力モードから通常動作可能な通常電力モードへ復帰させるモード制御手段と、前記モード制御手段が前記電源電力モードを前記省電力モードへ移行させる際に、前記設定情報入力手段から入力されている前記設定情報を前記情報記憶手段へ保管させ、該省電力モードから前記通常電力モードへ復帰すると、該情報記憶手段の該設定情報を前記表示手段の前記入力画面へ反映させる設定情報管理手段と、を備えていることを特徴としている。
【発明の効果】
【００１１】
本発明によれば、省電力モードへ移行した場合にも設定情報の利用性を向上させることができる。
【図面の簡単な説明】
【００１２】
【図１】本発明の一実施例を適用したＭＦＰのブロック構成図の一例。
【図２】ＭＦＰのソフトウェア構成図の一例。
【図３】ＭＦＰの他のブロック構成図の一例。
【図４】ＭＦＰの機能ブロック図の一例。
【図５】設定情報管理処理を示すフローチャート図の一例。
【図６】ＭＦＰの機能ブロック図の一例（実施例２）。
【図７】設定情報管理処理を示すフローチャート図の一例（実施例２）。
【図８】操作リセット確認画面の一例。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図５は、本発明のデータ処理装置、設定情報管理方法及びプログラムの一実施例を示す図であり、図１は、本発明のデータ処理装置、設定情報管理方法及びプログラムの一実施例を適用したＭＦＰ（Multi Function Peripheral）１のブロック図である。
【００１５】
図１において、ＭＦＰ１は、本体部１０と操作部２０を備えており、本体部１０と操作部２０は、通信路２により接続されている。通信路２は、例えば、ＵＳＢ（Universal  Serial  Bus）規格の通信路や有線、無線を問わず任意の規格の通信路等を用いることができる。
【００１６】
本体部１０は、ＭＦＰ１としての基本機能であるスキャナ機能、プリンタ機能、コピー機能、ファクシミリ機能等を実行する部分であり、操作部２０は、ユーザ（操作者）の操作による各種命令を受け付け、必要な情報を出力する部分である。本体部１０は、操作部２０で受け付けた設定情報に基づいて動作を行うが、接続されるコンピュータ等の外部装置からの設定情報に基づいても動作する。
【００１７】
本体部１０は、ＣＰＵ（Central Processing Unit）１１、ＲＯＭ（Read Only Memory）１２、ＲＡＭ（Random Access Memory）１３、ハードディスク（ＨＤＤ：Hard Disk Drive）１４、通信Ｉ／Ｆ１５、接続Ｉ／Ｆ１６、エンジン部１７及び検知部１８等を備えている。本体部１０は、各部がバス１９で接続されている。
【００１８】
ＲＯＭ１２は、ＭＦＰ１の本体部１０用の基本プログラム、本発明の設定情報管理方法のプログラム等のプログラム及び必要なシステムデータを格納している。
【００１９】
ＲＡＭ１３は、ＣＰＵ１１のワークメモリとして利用され、プログラムの展開、データの一時保管、画像データの展開等に利用される。
【００２０】
ＣＰＵ１１は、ＲＯＭ１２内のプログラムに基づいて、ＲＡＭ１３をワークメモリとして利用して、ＭＦＰ１の各部、特に、本体部１０の各部を制御して、ＭＦＰ１としての基本機能を実行する。また、ＣＰＵ１１は、ＲＯＭ１２の本発明の設定情報管理方法のプログラムに基づいて、省電力モードにおいても設定情報を保管管理する設定情報管理方法を実行する。
【００２１】
ハードディスク１４は、処理対象の画像データ等をＣＰＵ１１の制御下で書き込まれ、また、読み出される。なお、ＭＦＰ１は、上記基本プログラムや本発明の設定情報管理方法のプログラムをハードディスク１４に格納してもよいが、以下の説明では、ＲＯＭ１２に保管されているものとする。ハードディスク１４は、特に、操作部２０で入力される設定情報を保管する。
【００２２】
通信Ｉ／Ｆ１５は、ＬＡＮ（Local Area Network）等のネットワークに接続され、ネットワーク上の他のＭＦＰ、コンピュータ等の外部装置との間で、通信を行う。
【００２３】
接続Ｉ／Ｆ１６は、通信路２を介して操作部２０と接続され、ＣＰＵ１１の制御下で、操作部２０との間で、信号及び情報の授受を行う。
【００２４】
エンジン部１７は、原稿の画像をスキャンして読み取るスキャナ部、用紙等のシート材へ適宜の印刷方式（インクジェット方式、電子写真方式等）で画像を印刷するプリンタ部、ファクシミリ通信を行うファクシミリ部等を備えている。また、エンジン部１７は、プリンタ部で印刷済みのシート材に仕分け処理、パンチ処理等の後処理を行うフィニッシャ、原稿をスキャナ部の読取位置へ自動給送するＡＤＦ（自動原稿給送装置）等のオプションユニットを備えていてもよい。エンジン部１７は、備えている各部により、ＭＦＰ１としての、スキャナ機能、プリンタ機能、コピー機能、ファクシミリ機能等の各種単独機能や複合機能を実行する。
【００２５】
検知部１８は、例えば、発光素子としてのＬＥＤと受光素子としてのフォトトランジスタ等で構成され、検知物としての人体の有無を検知して、検知結果をＣＰＵ１１に出力する。なお、検知部１８のＬＥＤとしては、その人体検知性能から、例えば、赤外線ＬＥＤが用いられ、検知部１８の設置位置から所定範囲のユーザ（操作者）の有無及び方向を検知する。
【００２６】
操作部２０は、ＣＰＵ２１、ＲＯＭ２２、ＲＡＭ２３、フラッシュメモリ２４、通信Ｉ／Ｆ２５、接続Ｉ／Ｆ２６及び操作パネル２７等を備えており、各部は、バス２８で接続されている。
【００２７】
ＲＯＭ２２は、操作部２０としての基本機能を実現する操作基本プログラム及び必要なシステムデータを格納している。
【００２８】
ＣＰＵ２１は、ＲＯＭ２２内のプログラムに基づいてＲＡＭ２３をワークメモリとして利用して操作部２０の各部を制御して、操作部２０としての処理を実行する。
【００２９】
ＲＡＭ２３は、ＲＯＭ２２のプログラムの展開、操作パネル２７から入力された入力データの一時記憶、操作パネルに表示する表示データの一時記憶を行う。
【００３０】
フラッシュメモリ２４は、ＲＡＭ２３と同様に、プログラムの展開、操作パネル２７から入力された入力データの一時記憶、操作パネルに表示する表示データの一時記憶を行う。
【００３１】
通信Ｉ／Ｆ２５は、有線、無線で、外部操作端末（例えば、スマートフォン、タブレット等）と接続され、該外部操作端末との間で、操作データや表示データの授受を行う。
【００３２】
接続Ｉ／Ｆ２６は、通信路２により本体部１０の接続Ｉ／Ｆ１６と接続され、本体部１０との間で、操作情報、表示情報等の信号及び情報の授受を行う。
【００３３】
操作パネル２７は、ＭＦＰ１の操作を行うのに必要な各種ハードキー及び表示パネル等を備えており、表示パネルとしては、例えば、タッチパネル付きのＬＣＤ（Liquid Crystal Display）パネルが用いられる。操作パネル２７は、ＣＰＵ２１の制御下で、例えば、表示パネルにＭＦＰ１の動作設定を行うための設定画面（入力画面）を表示し、該入力画面の表示に応じたユーザによる表示パネルのタッチ操作やハードキーの操作によって、設定情報の設定入力を行わせる。なお、操作パネル２７の表示パネルは、タッチパネル付きＬＣＤに限るものではなく、例えば、タッチパネル機能が搭載された有機ＥＬ表示パネルやタッチパネル機能を有していない表示パネルであってもよい。
【００３４】
ＣＰＵ２１は、操作パネル２７の入力画面で入力された設定情報を、接続Ｉ／Ｆ２６及び通信路２を介して、本体部１０へ送信し、本体部１０は、ＣＰＵ１１が、送られてきた設定情報をハードディスク１４に保管する。
【００３５】
そして、ＭＦＰ１は、図２に示すように、ソフトウェア構成されている。本体部１０は、ＯＳ（Operating System）層３１、サービス層３２、アプリ層３３及び検知層３４を備えており、操作部２０は、ＯＳ層４１、サービス層４２、アプリ層４３を備えていて、上記通信Ｉ／Ｆ２５が接続されている。
【００３６】
ＭＦＰ１は、本体部１０と操作部２０が通信路２で接続されている。なお、図２では、本体部１０は、ＬＡＮ等のネットワーク５０に接続されており、このネットワーク５０に、無線ＬＡＮ  ＡＰ（アクセスポイント）５１が接続されているように記載されているが、このような構成であることは、本発明においては必須ではない。なお、図２の場合、ネットワーク５０を介して本体部１０に接続されている無線ＬＡＮ  ＡＰ５１は、通信Ｉ／Ｆ２５に接続されている無線デバイスと無線通信する。
【００３７】
本体部１０のＯＳ層３１、サービス層３２及びアプリ層３３は、ＲＯＭ１２やハードディスク１４等に格納されている各種ソフトウェアで構築され、検知層３４は、検知部１８により構築される。
【００３８】
本体部１０は、ＣＰＵ１１が、これらのソフトウェアを実行することにより、各種の機能を提供する。
【００３９】
アプリ層３３のソフトウェアは、本体部１０のハードウェア資源を動作させて所定の機能を提供するためのアプリケーションソフトウェア（以下、単に、アプリという。）である。例えば、アプリとしては、コピー機能を提供するコピーアプリ、スキャナ機能を提供するスキャナアプリ、ファクシミリ機能を提供するファクシミリアプリ、プリンタ機能を提供するプリンタアプリ等がある。
【００４０】
サービス層３２のソフトウェアは、アプリ層３３とＯＳ層３１との間に介在し、アプリに対して、本体部１０が備えるハードウェア資源を利用するためのインターフェイスを提供するソフトウェアである。具体的には、サービス層３２は、ハードウェア資源に対する動作要求の受付、動作要求の調停を行う機能を提供する。サービス層３２は、例えば、スキャナ部による原稿読取やプリンタ部による画像の印刷等の動作要求を受け付ける。
【００４１】
なお、サービス層３２によるインターフェイスの機能は、本体部１０のアプリ層３３だけではなく、操作部２０のアプリ層４３に対しても提供される。すなわち、図２に矢印で示すように、操作部２０のアプリ層４３も、サービス層３２のインターフェイス機能を介して、本体部１０のハードウェア資源（例えば、エンジン部１７）を利用した機能を実現することができる。
【００４２】
ＯＳ層３１のソフトウェアは、本体部１０が備えるハードウェアを制御する基本機能を提供するための基本ソフトウェア（オペレーティングシステム）である。サービス層３２のソフトウェアは、各種アプリからのハードウェア資源の利用要求を、ＯＳ層３１が解釈可能なコマンドに変換してＯＳ層３１に渡す。ＯＳ層３１のソフトウェアは、サービス層３２からのコマンドを実行されることで、ハードウェア資源が、アプリの要求に従った動作を行う。
【００４３】
検知層３４は、所定範囲内のユーザを検知し、サービス層３２に検知情報を通知する。
【００４４】
操作部２０は、ＯＳ層４１、サービス層４２及びアプリ層４３を有し、これらの各層の階層構造は、本体部１０側と同様である。ただし、アプリ層４３のアプリにより提供される機能、サービス層４２が受け付け可能な動作要求の種類は、本体部１０側とは異なる。アプリ層４３のアプリは、操作部２０が備えるハードウェア資源を動作させて所定の機能を提供するためのソフトウェアであってもよいが、主として本体部１０が備える機能（コピー機能、スキャナ機能、ファクシミリ機能、プリンタ機能）に関する操作や表示を行うためのＵＩ（ユーザインターフェイス）の機能を提供するためのソフトウェアである。
【００４５】
操作部２０のアプリ層４３のアプリとしては、プリンタ機能に関する操作や表示を行うためのＵＩの機能を提供するプリンタアプリ、コピー機能に関する操作や表示を行うためのＵＩの機能を提供するコピーアプリ、ファックス機能に関する操作や表示を行うためのＵＩの機能を提供するファックスアプリ等であるが、これに限るものではない。
【００４６】
本実施形態では、機能の独立性を保つために、本体部１０のＯＳ層３１のソフトウェアと操作部２０のＯＳ層４１のソフトウェアが相互に異なる。すなわち、本体部１０と操作部２０は、別々のオペレーティングシステムで互いに独立して動作する。例えば、本体部１０のＯＳ層３１のソフトウェアとして、Ｌｉｎｕｘ（登録商標）を用い、操作部２０のＯＳ層４１のソフトウェアとしてＡｎｄｒｏｉｄ（登録商標）を用いることも可能である。
【００４７】
以上のように、本実施例のＭＦＰ１において、本体部１０と操作部２０は、別々のオペレーティングシステムで動作するため、本体部１０と操作部２０との間の通信は、共通の装置内のプロセス間通信ではなく、異なる装置間の通信として行われる。操作部２０が受け付けた入力（ユーザからの指示内容）を本体部１０へ伝達する動作（コマンド通信）や、本体部１０が操作部２０へイベントを通知する動作などがこれに該当する。ここでは、操作部２０が本体部１０へコマンド通信を行うことにより、本体部１０の機能を使用することができる。また、本体部１０から操作部２０に通知するイベントには、本体部１０における動作の実行状況、本体部１０側で設定された内容等がある。
【００４８】
また、本実施例のＭＦＰ１は、操作部２０に対する電力供給が、本体部１０から通信路２を経由して行われており、操作部２０の電源制御を、本体部１０の電源制御とは別に（独立して）行うことができる。そして、ＭＦＰ１は、本体部１０に電源電力部を備えており、該電源電力部から本体部１０及び本体部１０を介して操作部２０へ必要な電源電力を供給する。また、ＭＦＰ１は、主要各部への電源電力の供給の停止と削減のうち少なくともいずれかを実施する省電力モードを備えている。ＭＦＰ１は、ＣＰＵ１１の制御下で、所定の省電力移行条件が満たされると、省電力モードへ移行し、この省電力モードにおいて、所定の復帰条件が発生すると、通常動作可能な通常電力モードへ復帰する。省電力移行条件は、例えば、予め設定されている待機時間の間、動作要求操作、外部装置からの動作要求コマンドの入力がないこと等である。復帰条件は、動作要求操作、外部装置からの動作要求コマンドの入力等である。
【００４９】
なお、本実施例のＭＦＰ１は、操作部２０の構成としては、図１に示した構成に限るものではなく、例えば、図３に示すように、操作部６０として、操作パネル２７と接続Ｉ／Ｆ２６のみを備えた構成であってもよい。
【００５０】
この場合、操作部６０は、ＣＰＵを備えていないため、本体部１０から接続Ｉ／Ｆ２６が受信した表示データを、操作パネル２７が、表示パネルに表示出力する。また、操作パネル２７は、操作キーや表示パネルのタッチパネルの機能ボタンで受け付けた操作内容を、接続Ｉ／Ｆ２６を介して本体部１０へ送信する。
【００５１】
そして、ＭＦＰ１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の設定情報管理方法を実行するプログラムを読み込んでＲＯＭ１２やハードディスク１４に導入することで、後述する省電力モードへ移行した場合にも設定情報の利用性を向上させる設定情報管理方法を実行するデータ処理装置として構築されている。この設定情報管理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００５２】
ＭＦＰ１は、上記設定情報管理方法を実行するプログラムが導入されることで、図４に示すような機能ブロックが構築される。すなわち、ＭＦＰ１は、上記プログラムが導入されることで、図４に示すように、表示部７１、設定情報入力部７２、情報記憶部７３、設定情報管理部７４、モード制御部７５及び操作者検知部７６が構築される。
【００５３】
表示部７１は、操作部２０の操作パネル２７の表示パネルで構築され、データ処理装置であるＭＦＰ１の動作に関する設定情報の入力画面を表示出力する。したがって、表示部７１は、表示手段として機能している。
【００５４】
設定情報入力部７２は、操作部２０のキー、表示パネルのタッチパネル等で構築され、入力画面にしたがって設定情報が設定入力される。したがって、設定情報入力部７２は、設定情報入力手段として機能している。
【００５５】
情報記憶部７３は、ハードディスク１４により構築されている。情報記憶部７３は、省電力モードにおいても記憶内容を保管し、特に、操作部２０の操作パネル２７で設定入力された設定情報を記憶する。したがって、情報記憶部７３は、情報記憶手段として機能している。
【００５６】
モード制御部７５は、ＣＰＵ１１により構築されている。モード制御部７５は、電源電力モードを、所定の省電力移行条件が満たされると、省電力モードへ移行させ、所定の復帰条件が満たされると、該省電力モードから通常動作可能な通常電力モードへ復帰させる。この省電力モードは、ＭＦＰ１の主要各部への電源電力の供給を停止又は削減する電力モードである。したがって、モード制御部７５は、モード制御手段として機能している。
【００５７】
設定情報管理部７４は、ＣＰＵ１１により構築されている。設定情報管理部７４は、モード制御部７５が電源電力モードを省電力モードへ移行させる際に、設定情報入力部７２から入力されている設定情報を情報記憶部７３へ保管させる。また、設定情報管理部７４は、省電力モードから通常電力モードへの復帰時に、情報記憶部７３の該設定情報を表示部７１の入力画面へ反映させる。したがって、設定情報管理部７４は、設定情報管理手段として機能している。
【００５８】
操作者検知部７６は、検知部１８により構築され、ユーザ（操作者）がデータ処理装置であるＭＦＰ１の所定範囲内にいるか否かを検知する。したがって、操作者検知部７６は、操作者検知手段として機能している。この場合、設定情報管理部７４は、省電力モードへの移行時又は省電力モード中において、操作者検知部７６が操作者を不検出であると、情報記憶部７３へ所定の初期設定情報（デフォルト画面情報）を保管させる。また、設定情報管理部７４は、省電力モードへの移行時及び省電力モード中において、操作者検知部７６が操作者を検出中であると、情報記憶部７３へ設定情報入力部７２から入力された設定情報を保管させる。
【００５９】
次に、本実施例の作用を説明する。本実施例のＭＦＰ１は、省電力モードへ移行した場合にも設定情報の利用性を向上させる。
【００６０】
すなわち、ＭＦＰ１は、電源電力モードとして、所定の省電力移行条件が満たされると、主要各部への電源電力の供給の停止と削減のうち少なくともいずれかを実施する省電力モードを備えている。ＭＦＰ１は、省電力モードにおいて、所定の復帰条件が満たされると、省電力モードから、通常動作可能な通常電力モードへ復帰する。
【００６１】
また、ＭＦＰ１は、操作部２０の操作パネル２７の表示パネルにプリンタ動作、コピー動作、スキャナ動作等における動作設定内容を指示する入力画面を表示し、操作パネル２７のハードキーや表示パネルのタッチパネルの操作による設定情報の設定を可能にする。
【００６２】
この設定情報の設定操作中に、何らかの理由でユーザによる設定入力操作が省電力移行条件を満たす状態になると、モード制御部７５は、ＭＦＰ１の電源電力モードを省電力モードへ移行させる。
【００６３】
ＭＦＰ１等のデータ処理装置においては、従来、設定情報の入力途中で省電力モードへ移行すると、入力中の設定情報は、消去され、省電力モードから復帰させると、再度、最初から設定情報の入力を行う必要があり、利用性が悪いという問題があった。
【００６４】
そこで、本実施例のＭＦＰ１は、設定情報の入力途中で省電力モードへ移行しても、入力済みの設定情報を情報記憶部７３へ保管し、通常電力モードへ復帰した際に、表示部７１の入力画面に情報記憶部７３の設定情報を反映させる。また、ＭＦＰ１は、設定情報の機密保持を図るために、省電力モードへの移行時又は省電力モード中において、操作者検知部７６が操作者を不検出であると、情報記憶部７３へ所定の初期設定情報を保管する。さらに、ＭＦＰ１は、省電力モードへの移行時及び省電力モード中において、操作者検知部７６が操作者を検出中であると、情報記憶部７３へ設定情報入力部７２から入力された設定情報を保管する。
【００６５】
そして、ＭＦＰ１は、設定情報入力部７２からの設定情報の入力途中で、省電力モードへの移行が発生すると、図５に示す設定情報管理処理を行う。
【００６６】
すなわち、ＭＦＰ１は、表示部７１へ入力画面を表示して、設定情報入力部７２から設定情報の入力が行われている途中で、設定情報管理部７４は、モード制御部７５が省電力モードへ移行すると判断したかチェックする（ステップＳ１０１）。すなわち、設定情報管理部７４は、省電力移行条件が満たされて、省電力モードへ移行すると、モード制御部７５が判断したかチェックする。
【００６７】
ステップＳ１０１で、省電力モードへ移行しないとき（ステップＳ１０１で、ＮＯのとき）、設定情報管理部７４は、通常の動作処理を行い（ステップＳ１０２）、モード制御部７５が、再度、省電力モードへ移行するかチェックする（ステップＳ１０１）。この通常の動作処理は、設定情報入力部７２からの設定情報の入力操作の受付動作処理等の動作処理である。
【００６８】
ステップＳ１０１で、省電力モードへ移行するとき（ステップＳ１０１で、ＹＥＳのとき）、設定情報管理部７４は、操作者検知部７６がユーザ（操作者）を検知しているかチェックする（ステップＳ１０３）。
【００６９】
ステップＳ１０３で、操作者検知部７６がユーザを検知していると（ステップＳ１０３で、ＹＥＳのとき）、設定情報管理部７４は、設定情報入力部７２で入力された設定情報を情報記憶部７３へ保存し、フラグをＯＮにする（ステップＳ１０４）。このフラグは、ＯＮのときに、入力されて情報記憶部７３に保存されている入力された設定情報を情報記憶部７３から読み出して表示部７１の入力画面へ反映させることを指示するフラグである。そして、フラグは、オフのとき、デフォルトの画面を、表示部７１の入力画面へ反映させることを指示する。
【００７０】
そして、ステップＳ１０３で、操作者検知部７６がユーザを検知していないと（ステップＳ１０３で、ＮＯのとき）、デフォルト画面情報（初期設定情報）を情報記憶部７３に保存し、フラグをＯＦＦに設定する（ステップＳ１０５）。
【００７１】
次に、設定情報管理部７４は、モード制御部７５が復帰条件を満たして省電力モードから通常電力モードへ復帰するかチェックする（ステップＳ１０６）。
【００７２】
ステップＳ１０６で、省電力モードへ移行しないとき（ステップＳ１０６で、ＮＯのとき）、設定情報管理部７４は、操作者検知部７６がユーザを検知しているかチェックする（ステップＳ１０７）。
【００７３】
ステップＳ１０７で、ユーザを検知していると（ステップＳ１０７で、ＹＥＳのとき）、設定情報管理部７４は、設定情報を入力していたユーザがＭＦＰ１の近くにいると判断して、フラグをＯＮのまま維持し（ステップＳ１０８）、ステップＳ１０６へ移行する。
【００７４】
ステップＳ１０７で、ユーザを検知していないと（ステップＳ１０７で、ＮＯのとき）、設定情報管理部７４は、フラグをＯＦＦにする（ステップＳ１０９）。設定情報管理部７４は、次に、入力画面の情報として、デフォルト画面の情報を保存し（ステップＳ１１０）、ステップＳ１０６に戻って、省電力モードからの復帰か確認する（ステップＳ１０６）。
【００７５】
ステップＳ１０６で、省電力モードからの復帰でないときには、設定情報管理部７４は、上記処理を繰り返し実施する（ステップＳ１０７〜Ｓ１１０）。ただし、設定情報管理部７４は、一旦フラグをＯＦＦにして、デフォルト画面を保存すると、その後に、操作者検知部７６が操作者を検出しても、フラグをＯＮしない。
【００７６】
ステップＳ１０６で、省電力モードからの復帰であると（ステップＳ１０６で、ＹＥＳのとき）、設定情報管理部７４は、フラグのＯＮ／ＯＦＦに応じた設定情報を情報記憶部７３から読み出して、表示パネルの入力画面に反映させる（ステップＳ１１１）。
【００７７】
したがって、設定情報管理部７４は、省電力モードへの移行時にユーザがＭＦＰ１の所定範囲にいて、省電力モード中においても該所定範囲にユーザがいると、その後に省電力モードから復帰する際に、表示パネルの入力画面に、入力途中の設定情報を反映させる。その結果、ユーザは、入力途中の続きから設定情報の設定入力を行うことができ、利用性を向上させることができる。
【００７８】
また、設定情報管理部７４は、省電力モードへの移行時にユーザがＭＦＰ１の所定範囲にいないか、省電力モード中において、該所定範囲にユーザがいなくなると、その後に省電力モードから復帰する際に、表示パネルの入力画面に、デフォルトの設定情報を反映させる。その結果、ユーザが途中まで入力した設定情報が漏れることを防止することができ、機密を確保することができる。
【実施例２】
【００７９】
実施例１では、省電力モードへの移行時にユーザが途中まで入力した設定情報を保護するＭＦＰ１について説明した。これに対し、ＭＦＰ１がタイマ（以下、操作リセットタイマという）による操作リセット機能を有する場合がある。操作リセット機能とは、例えば、一定の待ち時間の間、入力操作が行われない状態が発生したことを操作リセットタイマにより検出すると、表示パネルの入力画面がデフォルトの設定情報に戻る機能をいう。デフォルトの設定情報とは、予め定められた設定情報であり画面が表示された直後に、ユーザが何ら操作していない状態で表示される設定情報である。デフォルトの設定情報は初期設定情報と称してもよい。デフォルトの設定情報は画面ごとに定められている。
【００８０】
したがって、ユーザがＭＦＰ１から所定範囲にいたとしても何らかの理由で操作を中断している状況では、操作リセットタイマによる操作リセット機能が作動する場合があり、ユーザが途中まで設定した設定情報が消えてしまうという問題があった。
【００８１】
そこで、本実施例では、操作リセットタイマによる操作リセット機能が作動する際にユーザがＭＦＰ１から所定範囲にいる場合、操作リセットタイマによる操作リセット機能を作動させず、ユーザが途中まで入力した設定情報をそのまま継続して表示するＭＦＰ１について説明する。
【００８２】
なお、本実施例において、実施例１の説明において同一の符号を付した構成要素は同様の機能を果たすので、主に本実施例の主要な構成要素についてのみ説明する場合がある。例えば、本実施例において、実施例１の図１に示したＭＦＰ１のブロック図、図２のＭＦＰ１のソフトウェア構成図、及び、図３のＭＦＰ１の他のブロック構成図を用いてＭＦＰ１の機能を説明する。
【００８３】
本実施例のＭＦＰ１は、上記設定情報管理方法を実行するプログラムが導入されることで、図６に示すような機能ブロックが構築される。すなわち、ＭＦＰ１は、上記プログラムが導入されることで、図６に示すように、表示部７１、設定情報入力部７２、情報記憶部７３、設定情報管理部７４、操作リセット部７７及び操作者検知部７６が構築される。
【００８４】
操作リセット部７７（操作リセット手段の一態様）は、ＣＰＵ１１により構築されている。操作リセット部７７は、操作リセットタイマがタイムアップすると、設定情報入力部７２が受け付けたユーザによる設定情報を破棄して、表示部７１にデフォルトの設定情報によるデフォルトの画面を表示させる（以下、このような処理を「操作リセット」という）。すなわち、ユーザが入力した設定情報を破棄し所定の画面を表示する。操作リセットの具体的な例については後述する。
【００８５】
本来、操作リセット機能は、ユーザが設定情報を設定する途中でＭＦＰ１を離れた後、別のユーザがＭＦＰ１を操作する際に別のユーザが設定情報を設定しやすくするため（設定されたコピー数などが残っていないようにするため）の機能である。あるいは、途中まで設定情報を設定した前のユーザの設定情報を別のユーザから保護するため（秘匿するため）の機能である。
【００８６】
しかしながら、途中まで設定情報を設定したユーザがＭＦＰ１の周囲に存在する場合、操作リセット部７７が設定情報をリセットすると却って操作性を低下させるおそれがある。このため、設定情報管理部７４は、操作リセット部７７が操作リセットする際に、操作者検知部７６がユーザを検知しているかどうかを確認し、検知していない場合に操作リセット部７７の操作リセットを許可する。
【００８７】
ユーザを検知している場合、設定情報管理部７４は表示部７１に操作リセット確認画面を表示させる。設定情報入力部７２は、操作リセット確認画面に対するＹｅｓ又はＮｏというユーザからの入力を受け付けて、設定情報管理部７４に通知する。設定情報管理部７４はユーザがＹｅｓと入力した場合に操作リセット部７７に操作リセットを許可する。ユーザがＮｏと入力した場合、操作リセット部７７は操作リセットタイマをセットするので、再度、操作リセットするまでの時間がカウントされる。
【００８８】
こうすることで、操作リセット機能が作動する前にＭＦＰ１が操作リセットしてよいかどうかをユーザに問い合わせるため、ユーザが途中まで設定した設定情報がユーザの許可なくリセットされることを抑制できる。
【００８９】
図７は、本実施例の設定情報管理処理を示すフローチャート図の一例である。図７の処理は、ユーザの操作に伴い新たな画面が表示された時点でスタートする。すなわち、表示部７１が設定情報管理部７４に新たな画面が表示されたことを通知し、設定情報管理部７４が操作リセット部７７に通知する。操作リセット部７７は操作リセット機能の処理を開始する。
【００９０】
まず、操作リセット部７７は、操作リセットタイマをセットする（Ｓ１０）。すなわち、操作リセットするまでのリセット時間の測定を開始する。リセット時間は、継続して操作される可能性があるかどうかを判断するための閾値時間である。なお、操作リセットタイマがタイムアップするまでのリセット時間は一定でもよいし、画面によって異なっていてもよいし、また、同じ画面でも表示の繰り返しに応じて変更してよい。操作リセットタイマはソフトウェアにより構築されていてもよいし、ハードウェアにより実装されていてもよい。図７の処理ではソフトウェアにより構築されているものとして説明する。
【００９１】
次に、操作リセット部７７は、設定情報入力部７２がユーザの操作を受け付けたか否かを判断する（Ｓ２０）。設定情報入力部７２はユーザの操作を受け付けたことを設定情報管理部７４に通知するため、操作リセット部７７は操作の有無を検知できる。
【００９２】
操作された場合（Ｓ２０のＹｅｓ）、リセット時間を最初からカウントするため操作リセット部７７は操作リセットタイマをセットする（Ｓ１０）。
【００９３】
操作されない場合（Ｓ２０のＮｏ）、操作リセット部７７は操作リセットタイマの計時処理を行う（Ｓ３０）。すなわち、操作リセットタイマのセットからの経過時間をカウントする。なお、操作リセットタイマはカウントアップ型でもカウントダウン型でもよい。
【００９４】
次に、操作リセット部７７は操作リセットタイマがタイムアップしたか否かを判断する（Ｓ４０）。
【００９５】
タイムアップしていない場合（Ｓ４０のＮｏ）、処理はステップＳ２０に戻り、操作リセット部７７は操作されたか否かの監視を継続する。
【００９６】
タイムアップした場合（Ｓ４０のＹｅｓ）、操作リセット部７７はタイムアップした時点で、操作者検知部７６がユーザを検知しているか否かを判断する（Ｓ５０）。すなわち、設定情報管理部７４に、操作者検知部７６がユーザを検知しているか否かを問い合わせる。
【００９７】
ユーザを検知していない場合（Ｓ５０のＮｏ）、継続して操作される可能性はないと判断し、操作リセット部７７は操作をリセットする（Ｓ８０）。すなわち、設定情報管理部７４に操作のリセットを要求する。これにより、画面が新しく表示されるため、ステップＳ１０以降の処理が開始される。
【００９８】
ユーザを検知している場合（Ｓ５０のＹｅｓ）、継続して操作される可能性があると判断し、操作リセット部７７は、操作リセットしてよいか否かを確認する操作リセット確認画面を表示部７１に表示させる（Ｓ６０）。すなわち、操作リセット部７７は、表示中の設定画面に操作リセットしてよいか否かを確認するポップアップ画面を表示するよう設定情報管理部７４に要求する。操作リセット確認画面について図８にて説明する。
【００９９】
ユーザが操作リセットするという操作を入力した場合（Ｓ７０のＹｅｓ）、操作リセット部７７は操作リセットを行う（Ｓ８０）。すなわち、設定情報管理部７４に操作のリセットを要求する。これにより、画面が新しく表示されるため、ステップＳ１０以降の処理が開始される。
【０１００】
ユーザが操作リセットしないと操作した場合（Ｓ７０のＮｏ）、操作リセット部７７はリセット時間を最初からカウントするため操作リセットタイマをセットする（Ｓ１０）。したがって、それまで設定された設定情報がある場合は保持したまま、リセット時間を最初からカウントする。なお、操作リセット部７７は操作リセット確認画面を消去するように設定情報管理部７４に要求する。
【０１０１】
図８は、操作リセット確認画面の一例を示す図である。図８の操作リセット確認画面５０１は、スキャナ機能の読み取り条件の１つである解像度をユーザが設定している状態で、操作リセット確認画面５０１がポップアップ表示された例を示す。操作リセット確認画面５０１は「操作リセットしますか」というメッセージ５０２、Ｙｅｓボタン５０３及びＮｏボタン５０４を有する。
【０１０２】
Ｙｅｓボタン５０３が押下された場合、操作リセット部７７はスキャナ機能の読み取り条件として途中まで設定されている設定情報を破棄し、デフォルトの設定情報と共にデフォルトの画面を表示する。Ｎｏボタン５０４が押下された場合、操作リセット部７７は操作リセット確認画面５０１を消去して、リセット時間のカウントを最初から行う。したがって、設定情報を破棄してよいことをユーザが明示的に入力した場合には設定情報を破棄してデフォルトの設定情報やデフォルトの画面を表示できる。
【０１０３】
このように、リセット時間、操作がなかった際にユーザが検知された場合は操作リセットされず、ユーザが検知されない場合は操作リセットされる。したがって、操作中のユーザにとっては操作性が低下しにくい。また、別のユーザがＭＦＰ１を操作する際にはデフォルトの設定情報と共にデフォルトの画面が表示されている可能性が高いので、別のユーザがＭＦＰ１を操作する際に設定情報を設定しやすい。さらに、途中まで設定情報を設定した前のユーザの設定情報を別のユーザが取得することも防止しやすい。
【０１０４】
次に、操作リセットの具体例について説明する。操作リセットは途中までの操作をリセットする機能の総称であり、具体的にどのような操作がリセットされるかは種々の態様がある。したがって、デフォルトの設定情報やデフォルトの画面も操作リセット機能によって異なりうる。すなわち、操作リセット機能が作動した場合にデフォルトの設定情報とデフォルトの画面が何かは、ユーザが操作しているＭＦＰ１の機能によって異なる。
【０１０５】
一例として、操作リセット機能には、優先アプリ移行機能、予約一覧画面移行機能、オートログアウト機能、及び、各種アプリオートリセット機能がある。各機能の内容と、デフォルトの画面は以下のようになる。
【０１０６】
(i) 優先アプリ移行機能
優先アプリ移行機能は、任意のアプリの画面を表示中にリセット時間、操作がなかった場合、特定のアプリ画面を優先的に表示する機能である。例えば、スキャナアプリ（スキャナ機能の設定情報を設定するアプリ）の操作中にリセット時間、操作がなかった場合、コピーアプリ画面が優先的に表示される。
【０１０７】
(ii) 予約一覧画面移行機能
予約一覧画面移行機能は、予約中のジョブ一覧画面の表示中にリセット時間、操作がなかった場合、ジョブ一覧画面を閉じる機能である。デフォルトの画面として表示されるのはジョブ一覧を表示させる操作を受け付ける画面である。
【０１０８】
(iii) オートログアウト機能
オートログアウト機能は、ユーザがログイン後、リセット時間、操作がなかった場合、自動的にユーザをログアウトさせる機能である。デフォルトの画面として表示されるのは例えばログイン画面である。
【０１０９】
(iv) 各種アプリオートリセット機能
各種アプリオートリセット機能は、任意のアプリの画面を表示中にリセット時間、操作がなかった場合、途中まで設定された設定情報をリセットし、表示中のアプリのトップ画面を表示させる機能である。トップ画面とは、設定条件の設定の過程で１つのアプリにおいていくつかの画面が遷移する場合があるがいくつかの画面のうち最初に表示される画面である。
【０１１０】
このように、それぞれ表示されるデフォルトの設定情報とデフォルトの画面は異なるが、どの操作リセット機能も作動条件は図７のフローチャート図の処理で説明される。したがって、ユーザが表示中の画面又は操作中の操作をＭＦＰ１がリセットし、適切なデフォルトの設定情報やデフォルトの画面を表示できる。
【０１１１】
＜まとめ＞
【０１１２】
このように、本実施例のＭＦＰ１は、主要各部への電力供給の停止と削減のうち少なくともいずれかを実施する省電力モードを備え、ＭＦＰ１の動作に関する設定情報の入力画面を表示出力する表示部（表示手段）７１と、前記入力画面にしたがって前記設定情報が設定入力される設定情報入力部（設定情報入力手段）７２と、前記省電力モードにおいても記憶内容を保管する情報記憶部（情報記憶手段）７３と、電源電力モードを、所定の省電力移行条件が満たされると、前記省電力モードへ移行させ、所定の復帰条件が満たされると、該省電力モードから通常動作可能な通常電力モードへ復帰させるモード制御部（モード制御手段）７５と、前記モード制御部７５が前記電源電力モードを前記省電力モードへ移行させる際に、前記設定情報入力部７２から入力されている前記設定情報を前記情報記憶部７３へ保管させ、該省電力モードから前記通常電力モードへ復帰すると、該情報記憶部７３の該設定情報を前記表示部７１の前記入力画面へ反映させる設定情報管理部（設定情報管理手段）７４と、を備えている。
【０１１３】
したがって、設定情報の入力途中で省電力モードへ移行しても、入力済みの設定情報を保管し、通常電力モードへ復帰した際に、該設定情報を入力画面へ反映させることができる。その結果、省電力モードへ移行した場合にも設定情報の利用性を向上させることができる。
【０１１４】
また、本実施例のＭＦＰ１は、主要各部への電力供給の停止と削減のうち少なくともいずれかを実施する省電力モードを備え、ＭＦＰ１の動作に関する設定情報の入力画面を表示部７１へ表示出力する表示処理ステップと、前記入力画面にしたがって前記設定情報が設定入力される設定情報入力処理ステップと、前記省電力モードにおいても記憶内容を情報記憶部７３へ保管する情報記憶処理ステップと、電源電力モードを、所定の省電力移行条件が満たされると、前記省電力モードへ移行させ、所定の復帰条件が満たされると、該省電力モードから通常動作可能な通常電力モードへ復帰させるモード制御処理ステップと、前記モード制御処理ステップで前記電源電力モードを前記省電力モードへ移行させる際に、前記設定情報入力処理ステップで入力されている前記設定情報を前記情報記憶処理ステップで前記情報記憶部７３へ保管させ、該省電力モードから前記通常電力モードへ復帰すると、該情報記憶部７３の該設定情報を前記表示部７１の前記入力画面へ反映させる設定情報管理処理ステップと、を有する設定情報管理方法を実行する。
【０１１５】
したがって、設定情報の入力途中で省電力モードへ移行しても、入力済みの設定情報を保管し、通常電力モードへ復帰した際に、該設定情報を入力画面へ反映させることができる。その結果、省電力モードへ移行した場合にも設定情報の利用性を向上させることができる。
【０１１６】
さらに、本実施例のＭＦＰ１は、主要各部への電力供給の停止と削減のうち少なくともいずれかを実施する省電力モードを備え、ＣＰＵ１１等の制御プロセッサに、ＭＦＰ１の動作に関する設定情報の入力画面を表示部７１へ表示出力する表示処理と、前記入力画面にしたがって前記設定情報が設定入力される設定情報入力処理と、前記省電力モードにおいても記憶内容を情報記憶部７３へ保管する情報記憶処理と、電源電力モードを、所定の省電力移行条件が満たされると、前記省電力モードへ移行させ、所定の復帰条件が満たされると、該省電力モードから通常動作可能な通常電力モードへ復帰させるモード制御処理と、前記モード制御処理で前記電源電力モードを前記省電力モードへ移行させる際に、前記設定情報入力処理で入力されている前記設定情報を前記情報記憶処理で前記情報記憶部７３へ保管させ、該省電力モードから前記通常電力モードへ復帰すると、該情報記憶部７３の該設定情報を前記表示部７１の前記入力画面へ反映させる設定情報管理処理と、を実行させプログラムを搭載している。
【０１１７】
したがって、設定情報の入力途中で省電力モードへ移行しても、入力済みの設定情報を情報記憶部７３に保管し、通常電力モードへ復帰した際に、該設定情報を入力画面へ反映させることができる。その結果、省電力モードへ移行した場合にも設定情報の利用性を向上させることができる。
【０１１８】
また、本実施例のＭＦＰ１は、操作者がＭＦＰ１の所定範囲内にいるか否かを検知する操作者検知部（操作者検知手段）７６を、さらに備え、前記設定情報管理部７４が、前記省電力モードへの移行時又は前記省電力モード中において、前記操作者検知部７６が前記操作者を不検出であると、前記情報記憶部７３へ所定の初期設定情報（デフォルト情報）を保管させ、該省電力モードへの移行時及び該省電力モード中において、該操作者検知部７６が該操作者を検出中であると、前記設定情報入力部７２から入力された前記設定情報を該情報記憶部７３へ保管させる。
【０１１９】
したがって、設定情報を入力中の操作者（ユーザ）がＭＦＰ１の近くにいるときにのみ、入力済みの設定情報を情報記憶部７３に保管し、操作者がＭＦＰ１から離れると、初期設定情報を情報記憶部７３に保管する。その結果、設定入力された設定情報が他人に漏洩することを防止することができると共に、設定情報の利用性を向上させることができる。
【０１２０】
さらに、本実施例のＭＦＰ１は、各種動作処理を行う本体部１０と操作部（操作表示部）２０が通信路（所定の通信手段）２で接続されており、前記本体部１０は、前記情報記憶部７３、前記モード制御部７５及び前記設定情報管理部７４を備え、前記操作部２０は、前記表示部７１と前記設定情報入力部７２とを備えている。
【０１２１】
したがって、本体部１０と操作部２０とで、異なるＯＳを利用して動作させることができ、システム構成の汎用性を拡張して、利用性を向上させることができる。
【０１２２】
また、本実施例のＭＦＰ１は、前記設定情報入力部７２から設定入力された前記設定情報に基づいて、前記データ処理として画像処理を行う。
【０１２３】
したがって、設定情報に基づいて画像処理を行う複合装置、複写装置、プリンタ装置、スキャナ装置等の画像処理装置にも適用することができる。
【０１２４】
また、本実施形態のＭＦＰ１は、データ処理装置の動作に関する設定情報の入力画面を表示出力する表示部７１（表示手段）と、前記入力画面にしたがって前記設定情報の設定を受け付ける設定情報入力部（設定情報入力手段）７２と、操作者が前記データ処理装置の所定範囲内にいるか否かを検知する操作者検知部（操作者検知手段）７６と、所定の画面が表示されてから閾値時間、前記設定情報入力手段が操作を受け付けなかった場合、前記設定情報を破棄する操作リセット部（操作リセット手段）７７と、を有し、前記閾値時間が経過した際に、前記操作者検知手段が前記操作者を検出している場合、前記操作リセット手段は前記設定情報を破棄せず、前記閾値時間が経過した際、前記操作者検知手段が前記操作者を検出していない場合、前記操作リセット手段は前記設定情報を破棄する。
【０１２５】
したがって、ＭＦＰ１の周囲にユーザがいる場合は設定情報が破棄されないので、操作性を低下させにくい。
【０１２６】
また、本実施形態のＭＦＰ１は、前記閾値時間が経過した際に、前記操作者検知手段が前記操作者を検出している場合、前記操作リセット手段は、前記設定情報を破棄するか否かを受け付ける画面を操作表示部に表示させ、前記設定情報入力手段が前記画面から前記設定情報を破棄しないという操作を受け付けた場合、前記操作リセット手段は前記設定情報を破棄せず、前記設定情報入力手段が前記画面から前記設定情報を破棄するという操作を受け付けた場合、前記操作者検知手段が前記操作者を検出していても、前記操作リセット手段は前記設定情報を破棄する。
【０１２７】
したがって、設定情報を破棄してよいことをユーザが明示的に入力した場合には設定情報を破棄できる。
【０１２８】
また、本実施形態のＭＦＰ１では、操作リセット手段は、任意のアプリの画面を表示中に閾値時間、前記設定情報入力手段が操作を受け付けなかった場合、前記任意のアプリの画面に替えて特定のアプリ画面を表示することで前記設定情報を破棄するか、予約中のジョブ一覧画面の表示中に閾値時間、前記設定情報入力手段が操作を受け付けなかった場合、ジョブ一覧画面を閉じることで前記設定情報を破棄するか、ユーザがログイン後、閾値時間、前記設定情報入力手段が操作を受け付けなかった場合、ユーザをログアウトさせることで前記設定情報を破棄するか、又は、任意のアプリの画面を表示中に閾値時間、操作がなかった場合、表示中の任意のアプリのトップ画面を表示させることで前記設定情報を破棄する。
【０１２９】
したがって、ユーザが表示中の画面、又は、操作中の操作をリセットし、適切なデフォルトの設定情報やデフォルトの画面を表示できる。
【０１３０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１３１】
１  ＭＦＰ
２  通信路
１０  本体部
１１  ＣＰＵ
１２  ＲＯＭ
１３  ＲＡＭ
１４  ハードディスク
１５  通信Ｉ／Ｆ
１６  接続Ｉ／Ｆ
１７  エンジン部
１８  検知部
１９  バス
２０  操作部
２１  ＣＰＵ
２２  ＲＯＭ
２３  ＲＡＭ
２４  フラッシュメモリ
２５  通信Ｉ／Ｆ
２６  接続Ｉ／Ｆ
２７  操作パネル
２８  バス
３１  ＯＳ層
３２  サービス層
３３  アプリ層
３４  検知層
４１  ＯＳ層
４２  サービス層
４３  アプリ層
５０  ネットワーク
５１  無線ＬＡＮ  ＡＰ
６０  操作部
７１  表示部
７２  設定情報入力部
７３  情報記憶部
７４  設定情報管理部
７５  モード制御部
７６  操作者検知部
７７  操作リセット部
【先行技術文献】
【特許文献】
【０１３２】
【特許文献１】特開２０１５−００３４４９号公報
【図１】
2017039317.tif 000003
【図２】
2017039317.tif 000004
【図３】
2017039317.tif 000005
【図４】
2017039317.tif 000006
【図５】
2017039317.tif 000007
【図６】
2017039317.tif 000008
【図７】
2017039317.tif 000009
【図８】
2017039317.tif 000010